(57)【要約】【課題】  飲料その他のパック容器の噴きこぼれ防止【解決手段】  飲料パックに外部から押圧する力が加えられた際には、飲料パック内の飲料を小孔部から外部に流出させることにより、ストローから飲料が噴きこぼれることを防止する。牛乳パックなどの飲料パックであって、飲料パックの内部に、飲料を収容する部分と空洞部分とを隔てる隔壁が設けられる。飲料パックの外部に、内部の空洞部分と外部を貫通する小孔部と、小孔塞ぎ弁が設けられる。ストローにはこぼれそうになる飲料を外ではなく空洞部分に逃がす小孔部が設けられる。飲料パックに外部から押圧する力が加えられた際には、ストローの小孔部から空洞部分内に飲料を逃し、空洞部分の空気を外部に流出させ、ストローから飲料が噴きこぼれることを防止する。【選択図】  図１
2011225282.tif 000002
【特許請求の範囲】
【請求項１】
牛乳パックなどの飲料パック・その他のパック容器であって、
パック容器の内部に、飲料等の液体を収容する部分と空洞部分とを隔てる隔壁が設けられたことを特徴とする、噴きこぼれ防止のための飲料その他のパック容器。
【請求項２】
牛乳パックなどの飲料パック・その他のパック容器であって、
パック容器の内部に、飲料を収容する部分と空洞部分とを隔てる隔壁が設けられ、パック容器の外面に、内部の空洞部分と外部を貫通する小孔部と、
小孔部を覆うことが可能な面積を有する小孔塞ぎ弁が、小孔部を塞ぐことが可能な位置に設けられたことを特徴とする、噴きこぼれ防止のための飲料その他のパック容器。
【請求項３】
請求項２に記載の発明において、
前記の小孔塞ぎ弁は、ビニール片、金属箔片、その他の柔軟性を備えた素材からなり、小孔塞ぎ弁の一部がパック容器外面の表面に固着されると共に、小孔部を覆う部分が少なくともパック容器に固着されないことを特徴とする、噴きこぼれ防止のための飲料その他のパック容器。
【請求項４】
請求項２または３に記載の発明において、
ビニール片、金属箔片、その他の柔軟性を備えた素材からなる、前記の小孔塞ぎ弁は、ストロー孔を使用前に覆っている封印部と一体となって封印されており、ストロー孔を開封することにより、前記の小孔塞ぎ弁が機能することを特徴とする、噴きこぼれ防止のための飲料その他のパック容器。
【請求項５】
牛乳パックなどの飲料パック・その他のパック容器にストロー孔から挿入されるストロー等の管であって、
ストローの一部に小孔部が設けられ、
小孔部を覆うことが可能な面積を有する小孔塞ぎ弁が、小孔部を塞ぐことが可能な位置に設けられたことを特徴とする、噴きこぼれ防止のためのパック容器用ストロー等の管。
【請求項６】
請求項５に記載の発明において、
前記の小孔塞ぎ弁は、ビニール片、金属箔片、その他の柔軟性を備えた素材からなり、小孔塞ぎ弁の一部がストロー外面の表面に固着されると共に、小孔部を覆う部分が少なくともストローに固着されないことを特徴とする、噴きこぼれ防止のためのパック容器用ストロー等の管。
【請求項７】
請求項５または６に記載の発明において、
前記の小孔塞ぎ弁は、ストロー孔からパック容器内に挿入されたストローを吸って、飲料等の液体を飲むまたは吸い出す際には、小孔部から流入する空気の流れによりストローに固着されない部分が小孔部を覆うと共に、パック容器に外部から押圧する力が加えられた際には、パック容器内の飲料をストローを通して小孔部から流出させることにより、ストローから飲料等の液体が噴きこぼれることを防止することを特徴とする、噴きこぼれ防止のためのパック容器用ストロー等の管。
【請求項８】
請求項５に記載の発明において、
前記の小孔塞ぎ弁は、ストローの一部に設けられた蛇腹部と、
蛇腹部の一部に設けられた小孔部とからなり、
蛇腹部の伸縮によって小孔部の開閉がなされることを特徴とする、噴きこぼれ防止のためのパック容器用ストロー等の管。
【請求項９】
請求項５に記載の発明において、
前記の小孔塞ぎ弁は、ストローの一部に設けられ、ストロー本体よりも柔軟性を有し、隙間状の小孔部を備えたスカート部からなり、スカート部の隙間状の小孔部の孔の大きさが可変にされていることを特徴とする、噴きこぼれ防止のためのパック容器用ストロー等の管。
【請求項１０】
請求項５に記載の発明において、
前記の小孔塞ぎ弁は、ストローの一部にストロー本体から分岐して設けられ、ストロー本体よりも柔軟性を備えた筒状の小孔部からなり、小孔部の孔の大きさが可変にされていることを特徴とする、噴きこぼれ防止のためのパック容器用ストロー等の管。
【請求項１１】
牛乳パックなどの飲料パック・その他のパック容器にストロー孔から挿入されるストロー等の管であって、
ストローの一部区間に小孔部が設けられると共に、小孔部が設けられた区間には、小孔部からこぼれた飲料などの液体を貯留可能な貯留部が設けられたことを特徴とする、噴きこぼれ防止のためのストロー等の管。
【請求項１２】
牛乳パックなどの飲料パック・その他のパック容器にストロー孔から挿入されるストロー等の管であって、
ストローの先端部には、ストローの全周にわたり外周を覆い、使用前に先端部を覆い隠すと共に、使用時にはストローの先端部から移動して先端部を露出させる、先端保護部が設けられたことを特徴とする、ストロー等の管。
【請求項１３】
請求項１〜４のいずれかに記載のパック容器であって、
請求項５〜１２のいずれかに記載のパック容器用ストロー等の管が備えられたことを特徴とする、噴きこぼれ防止のためのストロー付きパック容器。
【請求項１４】
請求項１〜４のいずれかに記載の飲料パック・その他のパック容器であって、
請求項５〜１２のいずれかに記載のパック容器用ストロー等の管が備えられ、パック容器に外部から押圧する力が加えられた際には、パック容器内の飲料等の液体をストローを通してストローの小孔部からパック容器の空洞部分に流出させることにより、ストローから飲料等の液体が噴きこぼれることを防止することを特徴とする、噴きこぼれ防止のためのパック容器。
【発明の詳細な説明】
【技術分野】
【０００１】
本発明は、噴きこぼれ防止のための飲料その他のパック容器、噴きこぼれ防止のためのパック容器用ストロー等の管、および噴きこぼれ防止のためのストロー付きパック容器に関する。
【背景技術】
【０００２】
従来、牛乳パックや、その他コーヒー、清涼飲料、アルコール飲料などの各種飲料に用いられている飲料パックは、ストローと組み合わせて販売され使用されている。
また飲料パック以外にも、自動車オイル、食用オイル、洗剤、その他の液体を収容するための紙パックや紙以外の素材のパックが利用され、ストロー上の管やチューブなどを利用して液体を吸いだしたり、注いだりすることによる利用がされている。
ところで、こうした飲料パックを強い力で持ったり、押すなどして、外部から押圧する力が加えられた際には、ストローの口から飲物が飛び出し、衣服やテーブル等を汚してしまうことがあった。特に子供などが飲料をこぼしてしまうことが多々あった。容器内の圧迫された飲料を逃がす流通口がないためである。
【０００３】
【特許文献１】特開２００１−１５７６３０号公報
【０００４】
このような課題を解決するために、たとえば特開２００１−１５７６３０「ストロー」においては、飲料パック内の空気を、外部に逃がし、内圧が上昇しないようにして、飲料がストローを介して外に漏れ出すことを防止するため、飲料パックとストローの間に空隙ができるようにする構成が提案されている。
ストロー先端の斜めカット部と「最終嵌合部」の間に、「最終嵌合部」の断面の最大外形寸法よりも、断面の最大外形寸法の大きい部分を設けることにより、ストローを差すストロー孔に隙間ができるというものである。
【０００５】
【特許文献１】特開開平１１−２８１４３号公報
【０００６】
また同様のものとして、特開平１１−２８１４３「低吸引式ストロー」においては、容器内の飲物を吸い易くし、不用意に容器を押し凹ませても飲物がストローの口から飛び出さないストローが提案されている。
外管の中に自由に出入りする刺し込み管とよりなる二段伸ばしストローにおいて、二段に伸ばしたストローを飲物容器内に外管が入るまで刺し込んだとき容器の挿入孔に接触する任意の位置の少なくとも一部またはを凹ませる。或いは外管の容器内に挿入される任意の位置の少なくとも一部に凸変形部をつけ、ストローを差すストロー孔に隙間ができるというものである。
【０００７】
しかしながら、上記技術はいずれも、ストローの差し込み口に隙間を強制的に作ることにより、吸引力が弱くても飲めるようにするためのものであって、１口目は、容器内が液体で満たされていて空気のある空間がないために噴いてしまう。２口目からは、空気のある空間ができるために噴き出し防止が機能する。また、不快な音が出ないようにするだけである。
【発明の開示】
【発明が解決しようとする課題】
【０００８】
一方、飲料パック等のパック容器を押したりした場合には、ストローから飲料等の液体がこぼれなかった場合でも、ストローを通って飲料等が外部（ストローの上部）に上昇する。この状態でさらにパック容器を押すなどすれば簡単に飲料等が外にこぼれてしまう。
したがって、いったんストロー内を上昇しかけた飲料等の液体を、こぼれないように、パック容器の外に出さないように逃がすことができるならば、こうした別の問題も解決することとなる。
【課題を解決するための手段】
【０００９】
そこで、上記の様々な課題を解決するために、本発明においては、飲料パックなどのパック容器、およびストロー等の管のそれぞれに改良を加え、下記の構成としたことにより、これまでに述べた課題を解決した。様々な形態の試作実験の結果、従来の飲料パック等のパック容器およびストロー等とは異なり、飲料などの液体がこぼれない効果が確認された。
【００１０】
上記課題を解決するため、請求項１に記載の発明においては、
牛乳パックなどの飲料パック・その他のパック容器であって、
パック容器の内部に、飲料等の液体を収容する部分と空洞部分とを隔てる隔壁が設けられたことを特徴とする、噴きこぼれ防止のための飲料その他のパック容器であることを特徴としている。
【００１１】
また、上記課題を解決するため、請求項２に記載の発明においては、
牛乳パックなどの飲料パック・その他のパック容器であって、
パック容器の内部に、飲料を収容する部分と空洞部分とを隔てる隔壁が設けられ、パック容器の外面に、内部の空洞部分と外部を貫通する小孔部と、
小孔部を覆うことが可能な面積を有する小孔塞ぎ弁が、小孔部を塞ぐことが可能な位置に設けられたことを特徴とする、噴きこぼれ防止のための飲料その他のパック容器であることを特徴としている。
【００１２】
また、上記課題を解決するため、請求項３に記載の発明においては、
請求項２に記載の発明において、
前記の小孔塞ぎ弁は、ビニール片、金属箔片、その他の柔軟性を備えた素材からなり、小孔塞ぎ弁の一部がパック容器外面の表面に固着されると共に、小孔部を覆う部分が少なくともパック容器に固着されないことを特徴とする、噴きこぼれ防止のための飲料その他のパック容器であることを特徴としている。
【００１３】
また、上記課題を解決するため、請求項４に記載の発明においては、
請求項２または３に記載の発明において、
ビニール片、金属箔片、その他の柔軟性を備えた素材からなる、前記の小孔塞ぎ弁は、ストロー孔を使用前に覆っている封印部と一体となって封印されており、ストロー孔を開封することにより、前記の小孔塞ぎ弁が機能することを特徴とする、噴きこぼれ防止のための飲料その他のパック容器であることを特徴としている。
【００１４】
また、上記課題を解決するため、請求項５に記載の発明においては、
牛乳パックなどの飲料パック・その他のパック容器にストロー孔から挿入されるストロー等の管であって、
ストローの一部に小孔部が設けられ、
小孔部を覆うことが可能な面積を有する小孔塞ぎ弁が、小孔部を塞ぐことが可能な位置に設けられたことを特徴とする、噴きこぼれ防止のためのパック容器用ストロー等の管であることを特徴としている。
【００１５】
また、上記課題を解決するため、請求項６に記載の発明においては、
請求項５に記載の発明において、
前記の小孔塞ぎ弁は、ビニール片、金属箔片、その他の柔軟性を備えた素材からなり、小孔塞ぎ弁の一部がストロー外面の表面に固着されると共に、小孔部を覆う部分が少なくともストローに固着されないことを特徴とする、噴きこぼれ防止のためのパック容器用ストロー等の管であることを特徴としている。
【００１６】
また、上記課題を解決するため、請求項７に記載の発明においては、
請求項５または６に記載の発明において、
前記の小孔塞ぎ弁は、ストロー孔からパック容器内に挿入されたストローを吸って、飲料等の液体を飲むまたは吸い出す際には、小孔部から流入する空気の流れによりストローに固着されない部分が小孔部を覆うと共に、パック容器に外部から押圧する力が加えられた際には、パック容器内の飲料をストローを通して小孔部から流出させることにより、ストローから飲料等の液体が噴きこぼれることを防止することを特徴とする、噴きこぼれ防止のためのパック容器用ストロー等の管であることを特徴としている。
【００１７】
また、上記課題を解決するため、請求項８に記載の発明においては、
請求項５に記載の発明において、
前記の小孔塞ぎ弁は、ストローの一部に設けられた蛇腹部と、
蛇腹部の一部に設けられた小孔部とからなり、
蛇腹部の伸縮によって小孔部の開閉がなされることを特徴とする、噴きこぼれ防止のためのパック容器用ストロー等の管であることを特徴としている。
【００１８】
また、上記課題を解決するため、請求項９に記載の発明においては、
請求項５に記載の発明において、
前記の小孔塞ぎ弁は、ストローの一部に設けられ、ストロー本体よりも柔軟性を有し、隙間状の小孔部を備えたスカート部からなり、スカート部の隙間状の小孔部の孔の大きさが可変にされていることを特徴とする、噴きこぼれ防止のためのパック容器用ストロー等の管であることを特徴としている。
【００１９】
また、上記課題を解決するため、請求項１０に記載の発明においては、
請求項５に記載の発明において、
前記の小孔塞ぎ弁は、ストローの一部にストロー本体から分岐して設けられ、ストロー本体よりも柔軟性を備えた筒状の小孔部からなり、小孔部の孔の大きさが可変にされていることを特徴とする、噴きこぼれ防止のためのパック容器用ストロー等の管であることを特徴としている。
【００２０】
また、上記課題を解決するため、請求項１１に記載の発明においては、
牛乳パックなどの飲料パック・その他のパック容器にストロー孔から挿入されるストロー等の管であって、
ストローの一部区間に小孔部が設けられると共に、小孔部が設けられた区間には、小孔部からこぼれた飲料などの液体を貯留可能な貯留部が設けられたことを特徴とする、噴きこぼれ防止のためのストロー等の管であることを特徴としている。
【００２１】
また、上記課題を解決するため、請求項１２に記載の発明においては、
牛乳パックなどの飲料パック・その他のパック容器にストロー孔から挿入されるストロー等の管であって、
ストローの先端部には、ストローの全周にわたり外周を覆い、使用前に先端部を覆い隠すと共に、使用時にはストローの先端部から移動して先端部を露出させる、先端保護部が設けられたことを特徴とする、ストロー等の管であることを特徴としている。
【００２２】
また、上記課題を解決するため、請求項１３に記載の発明においては、
請求項１〜４のいずれかに記載のパック容器であって、
請求項５〜１２のいずれかに記載のパック容器用ストロー等の管が備えられたことを特徴とする、噴きこぼれ防止のためのストロー付きパック容器であることを特徴としている。
【００２３】
また、上記課題を解決するため、請求項１４に記載の発明においては、
請求項１〜４のいずれかに記載の飲料パック・その他のパック容器であって、
請求項５〜１２のいずれかに記載のパック容器用ストロー等の管が備えられ、パック容器に外部から押圧する力が加えられた際には、パック容器内の飲料等の液体をストローを通してストローの小孔部からパック容器の空洞部分に流出させることにより、ストローから飲料等の液体が噴きこぼれることを防止することを特徴とする、噴きこぼれ防止のためのパック容器であることを特徴としている。
【発明を実施するための最良の形態】
【００２４】
以下、本発明の実施の形態について図面を参照して説明する。
【００２５】
（実施の形態１）
【００２６】
本発明の第一の実施の形態は、噴きこぼれ防止のための飲料パック、その他のパック容器である。
飲料パックには、牛乳パックや、その他コーヒー、清涼飲料、アルコール飲料、その他の各種飲料に用いられる飲料パックが含まれる。また、本明細書および図面において、パック容器には飲料パック以外にも、自動車オイル、食用オイル、洗剤、その他の液体を収容するための紙パックや紙以外の素材のパックが含まれる。
また、本明細書および図面において、「ストロー」には飲料用のストロー以外にも、管状あるいはチューブ状の液体の流出・流入用管、液体の流出・流入用口が含まれる。
代表的な一形態として、本明細書および図面においては、主として飲料パックについて説明するが、これに限定されるものではなく、上記のような様々な用途、大きさ、素材、形状のパック容器に応用することができる。
【００２７】
図１は、本発明の飲料パック等のパック容器の基本的な構成の一例を示す斜視図である。
図１において、符号１は飲料パック等のパック容器を、２はストロー等の管を示している。３は飲料パック内の飲料の水面を示している。
符号５は、飲料パックの内部に設けられた、飲料を収容する部分と空洞部分とを隔てる隔壁を示している。
符号１０は小孔部、１１は小孔部を塞ぐことが可能な小孔塞ぎ弁、１２はストロー等の管が挿入されるストロー孔を示している。
【００２８】
以下、パック容器が飲料パックである場合の実施例について説明する。
飲料パック１は、牛乳パックなどの飲料パックであって、その他にも清涼飲料やコーヒー・紅茶・茶・ココア等のパック、アルコール類のパックなどを含むことができ、内部に満たされる飲料の種類には関係なく適用することができる。
飲料パック１は、通常よく知られている形態では、紙製のものにコーティング処理や、金属幕によるコーティング処理などがされている。本発明においては後述する構成に特徴があるので、飲料パック自体の素材や構成、構造、製造方法には左右されない。
【００２９】
本発明のパック容器の第一の特徴は、飲料パック等のパック容器１の内部に、飲料を収容する部分と空洞部分とを隔てる隔壁５が設けられたことである。
隔壁の素材は、紙、樹脂幕、金属箔、その他の様々な素材を用いることができ、素材には左右されない。
隔壁に隔てられて、図１、図３に示すように、飲料が充填される部分と、空洞部分とに分けられており、空洞部分には飲料は充填されないので、通常は単に空気が充満している。空洞部分は、後述するストロー２を用いて、ストロー２から飲料が噴きこぼれないように、こぼれそうになった飲料等の液体をストローに設けられた小孔部から逃がすための空洞である。
【００３０】
本発明の第二の特徴は、ストローから飲料等の液体が噴きこぼれないように、こぼれそうになった飲料等の液体をストローを通して、ストローに設けられた小孔部から逃がす際に、元々空洞部分にあった空気などを外部に逃がすために、飲料パックの外面に空気を逃がすための小孔部１０を設けたことである。
パック容器１の内部に、飲料を収容する部分と空洞部分とを隔てる隔壁が設けられ、パック容器１の外面に、内部の空洞部分と外部を貫通する小孔部１０と、小孔部を覆うことが可能な面積を有する小孔塞ぎ弁１１が、小孔部１０を塞ぐことが可能な位置に設けられたことを特徴とする。
【００３１】
本発明のパック容器は、飲料パック等のパック容器を持ったり力を加えたりした際に、飲みかけの飲料などの液体が、挿入されたストローの口から逆流して噴きこぼれることを防止するように構成されている
なお、小孔塞ぎ弁１１は、パック容器の空洞部分にたまった液体を外部にこぼればいようにする効果はあるが、パック容器の構成において必須ではなく、これがないものであってもよい。後述するストローの弁の機能によって、ストローの先端から飲料等が外に噴きこぼれることを防止できるためである。
【００３２】
図２は、小孔部１０を塞いでいる小孔塞ぎ弁１１を上から見下ろした形態の一例を示す平面図であり、小孔塞ぎ弁１１のうち、符号１１ａは飲料パック外面に固着された部分を、また１１ｂは飲料パック等のパック容器外面に固着されない部分を示している。固着される部分の面積、形状などはあくまでも一例である。固着されない部分の面積、形状についても同様である。
たとえば、小孔部１０は、一つの穴ではなく、網状の部分がパック容器１の外面に設けられたようなものであってもよい。空気は通しやすいが、液体を通しにくい形態であればよく、様々な形態を採用することができる。
小孔塞ぎ弁１１は、ビニール片、金属箔片、その他の柔軟性を備えた素材からなり、小孔塞ぎ弁１１の一部が飲料パック等のパック容器外面の表面に固着されると共に、小孔部１０を覆う部分が少なくともパック容器に固着されない。小孔部１０を覆う部分は、パック容器に固着されない可動状態にあることにより、飲料パック外面の表面にくっついたり離れたりすることで、小孔部１０を塞いだり開いたりして、弁の役割を果たすためである。
小孔部１０の形状は、望ましい一例としては円形状のものであるが、形状には左右されない。楕円形でも、四角形その他の多角形でもよく、あるいは切れ込みなどでもよく、空気の出入りが行われるものであればよい。また小孔部１０の大きさは、円形とした場合には、直径がストロー径程度以下、望ましくは５ｍｍ以下、さらに望ましくは３ｍｍ以下であり、しかしながら小さければ空気の出入りが妨げられることにもなるために、小さいほどよいというものでもない。またストローの径の大きさも異なるものがあるために、これとの兼ね合いや、飲料パックの大きさ、体積、その他の条件にもより適度な大きさが求められる。
【００３３】
次に、図１および図３を参照して、本発明の飲料パックの作用について説明する。
図３は、本発明の飲料パック等のパック容器の代表的な形態の一例を、飲料パック下部を省略して、側面方向から見た断面図である。図３中において、符号はこれまでの図と共通する。
小孔塞ぎ弁１１は、普段何もしていないとき、あるいは飲料をストロー２を通して飲んでいる時は、自重により、飲料パックに固着されない部分１１ｂが小孔部１０を覆う。この働きにより、小孔部１０が塞がれる。
次に、従来の通常の飲料パックでは、持つときに注意をしないと、ストロー２を通って外に飲料がこぼれてしまうために、注意を払わなければならない。
しかし、本発明のパック容器によれば、飲料パック等のパック容器１に外部から押圧する力が加えられた際には、後述するストロー２を用いて、ストロー２から飲料が噴きこぼれないように、こぼれそうになった飲料をストロー２に設けられた小孔部２０から空洞部分に逃がし、パック容器１の空洞部分内の空気を小孔部１０から外部に流出させることにより、ストロー２から飲料が噴きこぼれることを防止する。
【００３４】
次に、本発明の別の望ましい実施形態の一例について説明する。
図４は、小孔部１０を塞いでいると共に、開封される前の飲料の出荷時の状態ではストローを差して挿入するためのストロー孔１２を塞いでいる小孔塞ぎ弁１１を上から見下ろした形態の一例を示す平面図である。
図５は、本実施形態の飲料パック等のパック容器の代表的な形態の一例を、パック容器下部を省略して、側面方向から見た断面図である。図４、図５中において、符号はこれまでの図と共通する。
【００３５】
本実施形態の特徴は、ビニール片、金属箔片、その他の柔軟性を備えた素材からなる、前記の小孔塞ぎ弁１１は、ストロー孔１２を使用前に覆っている封印部１３と一体となって封印されており、ストロー２を差してストロー孔１２を開封することにより、前記の小孔塞ぎ弁１１の飲料パック外面に固着されない部分が機能することを特徴とするものである。
【００３６】
使用前には封印部１３と一体となって封印され、開封されると機能する小孔塞ぎ弁１１の形態の一例は、図５に示されるように、封印部１３を開封すると、封印部は１１ａにおいてパック容器に固着され、固着されない部分１３ｂが解き放たれることにより、封印部１３により封印され隠れていた小孔塞ぎ弁１１が現れるような形態である。すなわち、膜状の封印部１３と小孔塞ぎ弁１１とが二重になっているような例である。ストローを差した際には、ストローに封印部１３が触れて封印部１３自体は弁として機能しがたいために、別途小孔塞ぎ弁１１を設けている。
【００３７】
本実施形態の利点は、図５の断面図からも明らかなように、ストローを挿入するために封を開ければ、すなわち小孔塞ぎ弁１１を開ければすぐに前記のような作用が得られることである。
つまり、飲料等の出荷、配送、販売店における陳列時には、ストロー孔１２はもちろんのこと、小孔部１０も封をして塞いでおかなければ、内部の飲料等の液体がこぼれてしまうし、飲料等の鮮度や清潔さも保てない。そこで小孔部１０の封と、ストロー孔１２の封とを別々にしておいた場合には、前記した本発明の作用を得るためには封を２つ開封しなければならないことになる。
しかしながら、本実施形態を採用すれば、封を１回開封すれば済むので、特に意識しなくても前期の作用を得られることとなる。
なお、小孔部１０および小孔塞ぎ弁１１の作用は前記と共通する。
【００３８】
（第二の実施形態）
【００３９】
次に、本発明の第二の実施形態は、噴きこぼれ防止のための飲料その他のパック容器用ストロー等の管である。
図６及び図７は、本実施形態のストロー等の管の一部分を拡大した図であり、図６はストロー２に設けられた小孔部を側面方向から見た図であり、図７は小孔部を正面から見た図である。
【００４０】
図６および図７において、符号２０はストローに設けられた小孔部、２１は小孔塞ぎ弁を示し、２１ａは小孔塞ぎ弁がストローに固着されない部分、２１ｂが固着される部分、２２が先端部を示している。
すなわち、牛乳パックなどの飲料パックにストロー孔１２から挿入されるストロー２であって、ストロー２の一部に小孔部２０が設けられ、小孔部２０を覆うことが可能な面積を有する小孔塞ぎ弁２１が、小孔部２０を塞ぐことが可能な位置に設けられたことを特徴とする。
【００４１】
ストローの先端部２２と小孔部２０との間の長さに比例して、小孔部２０から飲料などの液体がストローの先端部２２からではなくパック容器の空洞部分にこぼれるための圧力差が生じ、その圧力差を利用して、飲料等の噴きこぼれを防止する作用を生むことを特徴とする。なお、後述するストロー等の他の実施形態においても同様である。
なお、ストローの断面は円形でもよいが、小孔塞ぎ弁２１を平面状の部分に設けることができれば、弁がより機能しやすいので、ストローの断面を正方形などにしてもよい。
【００４２】
小孔塞ぎ弁２１は、ビニール片、金属箔片、その他の柔軟性を備えた素材からなり、小孔塞ぎ弁２１の一部がストロー外面の表面に固着されると共に、小孔部を覆う部分が少なくともストローに固着されない。
小孔塞ぎ弁２１は、ストロー孔１２から飲料パック内に挿入されたストローを吸って、飲料を飲む際には、小孔部２０から流入する空気の流れによりストローに固着されない部分２１ａが小孔部２０を覆うことにより、弁が閉じられる。
【００４３】
パック容器１に外部から押圧する力が加えられた際には、パック容器１内の空気および飲料の圧力が高まるので、パック容器１内の飲料等がストロー２を通って外に流出しようとし、その圧力によりストロー２に設けられた小孔塞ぎ弁２１が開き、小孔部２０からストロー２外、すなわちパック容器の空洞部分に飲料等を流出させることにより、ストロー２の先端部２２から飲料等の液体が噴きこぼれることを防止する。しかしながらこの状態において、飲料パック１に外部から押圧する力が加えられているために、飲料パック１の空洞部分内の空気を外部に逃がすためには、本発明の実施形態１の、小孔部１０が設けられたパック容器と組み合わせて用いられることが望ましい。
【００４４】
図１３は、第一の実施形態の飲料その他のパック容器と、第二の実施形態のストローとを組み合わせて使用する使用状態を示す図である。図１３においては、外部から飲料パックに力が加えられた際に、飲料パック１の小孔部１０を通って外に流出する空気の流れを符号Ａで示している。また、ストロー２の小孔部２０からストロー外の、パック容器１の空洞部分に飲料を流出させる流れを、符号Ｂで示している。 
【００４５】
次に、本発明のストローの他の形態の一例について説明する。
図８及び図９は、本実施形態のストローの一部分を拡大した図であり、いずれもストロー２に設けられた小孔部を正面方向から見た図であり、図８は蛇腹部を伸長させた状態を、図９は短縮させた状態を示す図である。
図８および図９において、符号２３は小孔塞ぎ弁、２４は蛇腹部、２５は小孔部を示している。
【００４６】
前記の小孔塞ぎ弁２３は、ストロー２の一部に設けられた蛇腹部２４と、蛇腹部の一部に設けられた小孔部２５とから構成されている。
蛇腹部２４の伸縮によって小孔部２５の開閉がなされることを特徴とする。
蛇腹部２４は、図８および図９において、蛇腹を構成するストローの皺の、実線が凸状に、点線が凹状になっていることを示している。
蛇腹部２４に小孔部２５が設けられているが、ストロー本体２よりも蛇腹部２４を柔軟な素材、たとえば素材が同じでも厚さがごく薄い素材などを用いることにより、ストローを吸った際には蛇腹部が図９のように縮み、結果として小孔部２５が閉じられて弁の働きをする例を示している。
【００４７】
弁を設けたことによる作用は前記と同様であり、パック容器１に外部から押圧する力が加えられた際には、パック容器１内の空気の圧力が高まるので、パック容器内の飲料等がストロー２を通って外に流出しようとするが、パック容器１内部からストロー２内に飲料が流入するため、その圧力によりストロー２に設けられた小孔部２５からストロー２外、すなわちパック容器の空洞部分に飲料等を流出させることにより、ストロー２の先端部２２から飲料等が噴きこぼれることを防止する。しかしながらこの状態において、飲料パック１に外部から押圧する力が加えられているために、パック容器１の空洞部分内の空気を外部に逃がすためには、本発明の実施形態１の、小孔部１０が設けられた飲料パックと組み合わせて用いられることが望ましい。
【００４８】
本発明のストローの他の実施形態の例について説明する。
図１０は、本実施形態のストローの一部分を拡大した図である。
小孔塞ぎ弁２６は、ストロー２の一部に設けられ、ストロー本体２よりも柔軟性を有し、隙間状の小孔部２８を備えたスカート部２７からなり、スカート部２７の隙間状の小孔部２８の孔の大きさが可変にされていることを特徴とする。
【００４９】
ストロー２は、上部と下部で径が異なり、それにより、スカート部２７が生まれ隙間状の小孔部２８が設けられている。
ストロー本体２よりもスカート部２７を柔軟な素材、たとえば素材が同じでも厚さがごく薄い素材などを用いることにより、隙間状の小孔部２８は、圧力の変化により開閉がされるようになっており、ストロー２を吸った際にはスカート部２７が内側に縮んで小孔部２８の隙間が閉じられて弁の働きをする例を示している。
【００５０】
弁を設けたことによる作用は前記と同様であり、パック容器１に外部から押圧する力が加えられた際には、パック容器１内の空気の圧力が高まるので、飲料パック内の飲料等がストロー２を通って外に流出しようとし、その圧力によりストロー２に設けられた小孔部２８からストロー２外、飲料パンクの空洞部分に飲料を流出させることにより、ストロー２の先端部２２から飲料等が噴きこぼれることを防止する。しかしながらこの状態において、パック容器１に外部から押圧する力が加えられているために、パック容器１の空洞部分内の空気を外部に逃がすためには、本発明の実施形態１の、小孔部１０が設けられたパック容器と組み合わせて用いられることが望ましい。
【００５１】
次に、本発明のストローの別の実施形態について説明する。
図１１は、本実施形態のストローの一部分を拡大した図である。
小孔塞ぎ弁２９は、ストロー２の一部にストロー本体２から分岐して設けられ、ストロー本体２よりも柔軟性を備えた筒状の小孔部からなり、小孔部の孔３０の大きさが可変にされていることを特徴とする。
【００５２】
ストロー本体２よりも、筒状の小孔塞ぎ弁２９を柔軟な素材、たとえば素材が同じでも厚さがごく薄い素材などを用いることにより、小孔部の孔３０は、圧力の変化により開閉がされるようになっており、ストロー２を吸った際にはスカー小孔塞ぎ弁２９が収縮して小孔部の穴３０が閉じられて弁の働きをする例を示している。
【００５３】
弁を設けたことによる作用は前記と同様であり、パック容器１に外部から押圧する力が加えられた際には、パック容器１内の空気の圧力が高まるので、パック容器内の飲料等がストロー２を通って外に流出しようとし、その圧力によりストロー２に設けられた小孔塞ぎ弁２９の孔３０からストロー２外、パック容器の空洞部分に飲料を流出させることにより、ストロー２の先端部２２から飲料等が噴きこぼれることを防止する。しかしながらこの状態において、パック容器１に外部から押圧する力が加えられているために、パック容器１の空洞部分内の空気を外部に逃がすためには、本発明の実施形態１の、小孔部１０が設けられたパック容器と組み合わせて用いられることが望ましい。
【００５４】
次に、牛乳パックなどの飲料パック・その他のパック容器にストロー孔から挿入されるストロー等の管の別の実施形態について説明する。
図１４は、本実施形態のストローの使用状態を示す断面図である。
ストロー２の一部区間に小孔部２１０が設けられると共に、小孔部２１０が設けられた区間には、小孔部２１０からこぼれた飲料などの液体を貯留可能な貯留部２００が設けられている。貯留部２００の設けられる区間は任意である。
また、小孔部は１箇所でもよく、あるいは図１４に示すように複数箇所でもよく、あるいはたとえばストロー２本体の外面が網状になっているような形態であってもよい。
貯留部は、ストロー２本体の外面を全周にわたって覆い、小孔部２１０が設けられた区間が、ストロー２本体の外面と、貯留部とのいわば二重構造になっている。貯留部２００は、ストロー２本体よりも柔軟な素材で形成されている。たとえば、ごく薄手のゴム素材、ビニール素材、その他の各種素材を用いることができる。
飲料を飲む場合などには、貯留部２００は吸引されるなどによりストロー２本体の外面に付着する力が働くが、飲料パックなどのパック容器が押された場合など、液体がストロー２先端から噴きこぼれそうになる際には、先端からこぼれることを防止する。つまり貯留部２００が柔軟な素材から形成されており、小孔部２１０からこぼれる液体を、貯留するために、先端部２２から噴きこぼれることを防止する。
【００５５】
さらに、牛乳パックなどの飲料パック・その他のパック容器にストロー孔から挿入されるストロー等の管の別の実施形態について説明する。
図１５は、本発明の実施形態のストローを示す断面図である。
図１６は、本発明の実施形態のストローの使用状態を示す斜視図である。
本実施形態においては、図１５に示すように、ストロー２の先端部２３０には、ストロー２の全周にわたり外周を覆い、使用前に先端部を覆い隠す、ストロー２本体よりやや径の広い輪状の先端保護部２２０が設けられている。ストロー２の断面が円形でない場合には、輪状の先端保護部２２０もストロー２の断面と同様の断面形状にされている。
いわば先端部２３０を保護するように二重になっており、先端の尖った部分が使用前には隠されているので、誤って手などを突き刺してしまうこともない。また先端部２３０を汚してしまうことなども防ぐ。
【００５６】
次に、使用時には図１６に示すように、先端保護部２２０が移動可能にされているために、ストロー孔１２に突き刺した場合には、ストロー２の先端部２３０から先端保護部２２０が移動して先端部２３０を露出させる。
【００５７】
（第三の実施形態）
【００５８】
本発明の第三の実施形態は、飲料パック等のパック容器が販売等される形態において、パック容器にストローが付属して流通し、使用される形態である。
請求項１〜４のいずれかに記載のパック容器であって、請求項５〜１２のいずれかに記載の飲料その他のパック容器用ストロー等の管が備えられたことを特徴とする、噴きこぼれ防止のためのストロー等の管付きパック容器である。
【００５９】
図１２は、本発明のパック容器の基本的な構成の一例を示す斜視図である。
図１２において、符号１は飲料その他のパック容器を、２はストロー等の管を示している。３は飲料パック内の飲料の水面を示している。
また、図１３は本実施形態の使用状態の一例を示している。
図１２において、符号１０は小孔部、１１は小孔部を塞ぐことが可能な小孔塞ぎ弁、１２はストローが挿入されるストロー孔を示している。符号２０はストローに設けられた小孔部、２１は小孔塞ぎ弁を示している。
図１２および図１３においては、前記した図１で示す飲料パックに、図７および図８に示すストローを組み合わせた例を示しているが、たとえば他の形態のストローを組み合わせることでもよい。
【００６０】
パック容器に外部から押圧する力が加えられた際には、飲料パック内の空気をストローを通してストローの小孔部からパック容器の空洞部分に流出させることにより、ストローから飲料等が噴きこぼれることを防止する。
これまでに説明したように、飲料パック１に外部から押圧する力が加えられた際には、パック容器１の空洞部分内の空気を外部に逃がすために、小孔部１０が設けられたパック容器を用いると共に、本発明のいずれかのストローを組み合わせればより効果的に作用するからである。
【００６１】
なお、本発明のいずれの形態においても、ストローに設けられた小孔部から、飲料パックの空洞部分に飲料がたくさんこぼれたような場合には、空洞部分内にストローの先端を挿入するようにすれば、空洞部分内に溜まった飲料を飲むことができる。したがって飲料を無駄にすることはなく、従来の飲料パックで外に飲料をこぼしてしまった場合にくらべると無駄にならないという効果も生じる。
【産業上の利用可能性】
【００６２】
以上詳細に説明したように、本発明によれば、飲料その他のパック容器を外から押してへこませたり、温度が上昇するというように飲料パックの内圧が上昇しうることが発生しても、パック容器内の飲料等は、ストローの小孔部を通ってパック容器の空洞部分に逃げるため、実際には内圧は上昇しないので、従来のストローのように、飲料等がストローを介して、外にこぼれ出さないようにすることができる。
【００６３】
さらに弁の開閉が自然に行われるので、飲料を飲むときには弁が閉じられて、空気がパック容器内に無駄に流入することがなく、結果としてストローを吸う力を強くしなくてもよい。
【００６４】
一方、パック容器を押したりした場合には、ストローから飲料等がこぼれなかった場合でも、ストローを通って飲料等が外部（ストローの上部）に上昇するが、この状態でいったんストロー内を上昇しかけた飲料等を、こぼれにくくなるようにパック容器の空洞部分内に素早く戻すことができる。
【図面の簡単な説明】
【００６５】
【図１】本発明の飲料パックの基本的な構成の一例を示す斜視図である。
【図２】小孔部１０を塞いでいる小孔塞ぎ弁１１を上から見下ろした形態の一例を示す平面図である。
【図３】本発明の飲料パックの代表的な形態の一例を、飲料パック下部を省略して、側面方向から見た断面図である。
【図４】小孔部１０を塞いでいると共に、開封される前の飲料の出荷時の状態ではストローを差して挿入するためのストロー項１２を塞いでいる小孔塞ぎ弁１１を上から見下ろした形態の一例を示す平面図である。
【図５】本発明の実施形態の飲料パックの代表的な形態の一例を、飲料パック下部を省略して、側面方向から見た断面図である。
【図６】本発明の実施形態のストローの一部分を拡大した図であり、ストロー２に設けられた小孔部を側面方向から見た図である。
【図７】本発明の実施形態のストローの一部分を拡大した図であり、小孔部を正面から見た図である。
【図８】本発明の実施形態のストローの一部分を拡大した図であり、ストロー２に設けられた小孔部を正面方向から見た図であり、蛇腹部を伸長させた状態を示す図である。
【図９】本発明の実施形態のストローの一部分を拡大した図であり、ストロー２に設けられた小孔部を正面方向から見た図であり、蛇腹部を短縮させた状態を示す図である。
【図１０】本発明の実施形態のストローの一部分を拡大した図である。
【図１１】本発明の実施形態のストローの一部分を拡大した図である。
【図１２】本発明の飲料パックの基本的な構成の一例を示す斜視図である。
【図１３】第一の実施形態の飲料パックと、第二の実施形態のストローとを組み合わせて使用する使用状態を示す図である。
【図１４】本発明の実施形態のストローの使用状態を示す断面図である。
【図１５】本発明の実施形態のストローを示す断面図である。
【図１６】本発明の実施形態のストローの使用状態を示す斜視図である。
【図１】
2011225282.tif 000003
【図２】
2011225282.tif 000004
【図３】
2011225282.tif 000005
【図４】
2011225282.tif 000006
【図５】
2011225282.tif 000007
【図６】
2011225282.tif 000008
【図７】
2011225282.tif 000009
【図８】
2011225282.tif 000010
【図９】
2011225282.tif 000011
【図１０】
2011225282.tif 000012
【図１１】
2011225282.tif 000013
【図１２】
2011225282.tif 000014
【図１３】
2011225282.tif 000015
【図１４】
2011225282.tif 000016
【図１５】
2011225282.tif 000017
【図１６】
2011225282.tif 000018